(57)【要約】      （修正有）【課題】携帯式のミュージックプレーヤの機能を兼用する携帯電話機内にストレージされたオーディオコンテンツを再生することができるオーディオ機器において、上記携帯電話機からのオーディオコンテンツの再生中に携帯電話機に着信があった場合に、オーディオ機器のハンズフリー機能を用いてオーディオ機器によって携帯電話機を介して通話を行なうことができるようにする。【解決手段】携帯電話機２１の記憶手段に記録されているオーディオソースを外部アダプタ２０を介してオーディオ機器１０に取込み、そのスピーカ１５によって再生している際に、携帯電話機２１に着信があった場合には、ユーザがオーディオ機器１０の所定の操作釦を押下することによって、携帯電話機２１を外部アダプタ２０を介して通話モードに切換えるようにし、オーディオ機器１０のマイク３２とスピーカ１５とを用いてハンズフリー機能によって携帯電話機２１を介して通話を行なう。【選択図】図２
2009124271.tif 000002
【特許請求の範囲】
【請求項１】
スピーカに対して音声信号を供給して音声を再生するオーディオ機器と、
前記オーディオ機器に接続されている外部アダプタと、
前記外部アダプタと近距離無線通信手段を介して接続される携帯電話機と、
を有し、前記携帯電話機からのオーディオソースの音声信号を前記外部アダプタを介して前記オーディオ機器で再生するようになし、
しかも前記オーディオ機器に設けられた操作手段を介して前記携帯電話機のハンズフリー機能を制御してハンズフリーモードで通話できるようにしたことを特徴とするオーディオ装置。
【請求項２】
前記オーディオ機器がディスクプレーヤを備え、ディスク状記録媒体に記録されているオーディオ信号を再生することを特徴とする請求項１に記載のオーディオ装置。
【請求項３】
前記オーディオ機器が制御用マイクロコンピュータを備え、該制御用マイクロコンピュータによって前記オーディオ機器を前記携帯電話機のオーディオソースの再生モードとハンズフリーモードとに切換え制御することを特徴とする請求項１に記載のオーディオ装置。
【請求項４】
前記外部アダプタが携帯電話機制御用マイクロコンピュータを備え、該携帯電話機制御用マイクロコンピュータによって前記携帯電話機をオーディオソースの再生モードと通話モードとに切換え制御することを特徴とする請求項１に記載のオーディオ装置。
【請求項５】
前記近距離無線通信手段がＢｌｕｅｔｏｏｔｈ方式の無線通信であることを特徴とする請求項４に記載のオーディオ装置。
【請求項６】
前記携帯電話機のオーディオソースが外部から取込まれて記憶手段中に記録された音声に関するオーディオ信号であることを特徴とする請求項４に記載のオーディオ装置。
【請求項７】
前記オーディオ機器の所定の操作釦の操作に連動して、前記外部アダプタの携帯電話機制御用マイクロコンピュータによって前記携帯電話機が通話モードに切換えられることを特徴とする請求項４に記載のオーディオ装置。
【請求項８】
前記所定の操作釦がＰＬＡＹ釦であることを特徴とする請求項７に記載のオーディオ装置。
【請求項９】
前記オーディオ機器の別の所定の操作釦の操作に連動して、前記外部アダプタの携帯電話機制御用マイクロコンピュータによって前記携帯電話機の通話モードが遮断されることを特徴とする請求項４に記載のオーディオ装置。
【請求項１０】
前記別の操作釦がＳＴＯＰ釦であることを特徴とする請求項９に記載のオーディオ装置。
【請求項１１】
ハンズフリーモードにおいては、前記オーディオ機器のマイクによって入力された音声が前記携帯電話機によって送信され、前記携帯電話機が受信した音声信号が前記オーディオ機器のスピーカで再生されることを特徴とする請求項１に記載のオーディオ装置。
【請求項１２】
前記オーディオ機器の所定の操作釦の操作に連動して前記携帯電話機がハンズフリーモードに切換えられ、該ハンズフリーモードにおいては、前記オーディオ機器のマイクによって入力された音声が前記携帯電話機によって送信され、前記携帯電話機が受信した音声信号が前記オーディオ機器のスピーカで再生されることを特徴とする請求項１１に記載のオーディオ装置。
【請求項１３】
前記外部アダプタが前記携帯電話機から、ＧＰＳ機能を用いて検出した位置情報を取得するとともに、該位置情報を前記オーディオ機器に送信し、該オーディオ機器の表示手段によって前記携帯電話機の位置情報を表示することを特徴とする請求項１に記載のオーディオ装置。
【請求項１４】
前記外部アダプタが前記携帯電話機から、ＧＰＳ機能を用いて検出した位置情報を取得し、該位置情報を前記オーディオ機器に送信し、該オーディオ機器の表示手段によって前記携帯電話機の位置情報を表示するとともに、該オーディオ機器は前記携帯電話機からのオーディオソースの音声信号を再生することを特徴とする請求項１に記載のオーディオ装置。
【請求項１５】
オーディオ機器と接続されかつ携帯電話機からの信号を前記オーディオ機器に供給する外部アダプタにおいて、
前記携帯電話機を制御する携帯電話機制御用マイクロコンピュータを有し、該携帯電話機制御用マイクロコンピュータによって前記携帯電話機をハンズフリーモードに切換えて前記オーディオ機器を介して通話できるようにしたことを特徴とする外部アダプタ。
【請求項１６】
前記ハンズフリーモードにおいては、前記オーディオ機器に接続されたマイクとスピーカとを介して通話が行なわれることを特徴とする請求項１５に記載の外部アダプタ。
【請求項１７】
前記携帯電話機と近距離無線通信手段を介して信号の授受が行われることを特徴とする請求項１５に記載の外部アダプタ。
【請求項１８】
前記近距離無線通信手段がＢｌｕｅｔｏｏｔｈ方式の無線通信であることを特徴とする請求項１７に記載の外部アダプタ。
【発明の詳細な説明】
【技術分野】
【０００１】
本発明はスピーカによって音声信号を再生するオーディオ機器と、このようなオーディオ機器に対して携帯電話機からオーディオソースを供給するための外部アダプタに関する。
【背景技術】
【０００２】
携帯電話機の搭載機能が年々拡大されており、カメラ機能、ワンセグテレビ機能、Ｗｅｂブラウザ機能、ＧＰＳ（Ｇｌｏｂａｌ  Ｐｏｓｉｔｉｏｎｉｎｇ  Ｓｙｓｔｅｍ）によるナビ機能、動画再生機能、音楽再生機能等の多くの機能が標準機能として搭載されている。中でも音楽再生機能は、楽曲を丸ごと聴くことができる「着うたフル」（登録商標）や、音楽コンテンツの聴き放題プラン等の提供が行なわれている。さらにインターネットを使用して、どこでも楽曲のダウンロードができるようになっており、料金も携帯電話料金の支払いと同時に行なえ、一般的な携帯ミュージックプレーヤ以上の利便性をユーザに提供している。
【０００３】
以前の音楽を聴くスタイルは、家庭に大量のＣＤ（Ｃｏｍｐａｃｔ  Ｄｉｓｃ）等の音楽コンテンツを有し、据置き型のオーディオ機器で聴き、外出時には一部のオーディオコンテンツ（例えば数枚のＣＤ）を持出し、携帯ミュージックプレーヤで聴くスタイルが一般的であった。しかるに携帯電話機の音声再生機能が上述の如く向上してきたために、携帯電話機で音楽コンテンツをダウンロードして購入しかつ内部の記憶手段である半導体メモリ内に記憶させておき、外出時でも携帯電話機で音楽を聴くスタイルが一般化しつつある。この場合は、携帯電話機を携帯ミュージックプレーヤのように使用することになり、例えば携帯電話機にヘッドホンを接続して音楽を聴くことができる。
【０００４】
このような背景の中で、携帯電話機の半導体メモリに取込まれた音楽ソースを、家庭でより高品質で視聴するために、この携帯電話機の音楽ソースを取出すための充電台を兼用する外部アダプタあるいはクレードルを用い、このクレードルによって携帯電話機の半導体メモリに書込まれた音楽をオーディオ機器で再生することが、例えば特願２００７−４２９３１号に開示されているように既に提案され、あるいはまた実用に供されている。このようなシステムは、携帯電話機の音声コンテンツの音声信号を出力することができ、オーディオ機器側からのこの携帯電話機の音声再生操作を行なうことができるようにしている。
【０００５】
このようなシステムはその特徴から、携帯電話機は必ずしもテレビやオーディオ機器の側に置く必要がなく、ユーザはオーディオ機器から携帯電話機の音楽ソースを再生して聴く操作が可能になる。
【０００６】
このように携帯電話機の半導体メモリに書込まれた音楽ソースを再生してオーディオ機器によって音楽等を視聴しているときに、携帯電話機に着信があった場合には、携帯電話機のあるところまでユーザがわざわざ移動し、この後に携帯電話機による楽曲コンテンツの再生モードを停止するとともに、携帯電話機を通話モードに切換えて通話を行なうことが必要になる。このような操作の途中で、電話が切れてしまう等の不具合が発生することがある。
【特許文献１】特願２００７−４２９３１号
【特許文献２】特開２００３−１６３７２１号公報
【発明の開示】
【発明が解決しようとする課題】
【０００７】
本願発明の課題は、携帯電話機のオーディオソースを、オーディオ機器によって再生している際に着信があった場合に、携帯電話機による上記の再生動作を停止して手動で携帯電話機を通話モードに切換える煩雑さを解消するようにしたオーディオ装置を提供することである。
【０００８】
本願発明の別の課題は、携帯電話機の楽曲コンテンツをオーディオ機器によって再生している際に、携帯電話に着信があった場合には、この着信に基づく通話をオーディオ機器側で行なうことかできるようにしたオーディオ装置を提供することである。
【０００９】
本願発明のさらに別の課題は、携帯電話機の半導体メモリに記憶されている音楽ソースを再生している際に携帯電話機に着信があった場合には、オーディオ機器のマイクとスピーカとを用いて、ハンズフリー機能によって携帯電話機を介して通話することができるようにしたオーディオ装置を提供することである。
【００１０】
本願発明のさらに別の課題は、携帯電話機と接続されたオーディオ機器を利用している際に、携帯電話機で通話を行なう場合に、オーディオ機器のハンズフリー機能を利用し、オーディオ機器を操作するような操作感覚で携帯電話機を操作できるようにしたオーディオ装置を提供することである。
【００１１】
本願発明の上記の課題および別の課題は、以下に述べる本願発明の技術的思想およびその実施の形態によって明らかにされる。
【課題を解決するための手段】
【００１２】
本願の主要な発明は、スピーカに対して音声信号を供給して音声を再生するオーディオ機器と、
前記オーディオ機器に接続されている外部アダプタと、
前記外部アダプタと近距離無線通信手段を介して接続される携帯電話機と、
を有し、前記携帯電話機からのオーディオソースの音声信号を前記外部アダプタを介して前記オーディオ機器で再生するようになし、
しかも前記オーディオ機器に設けられた操作手段を介して前記携帯電話機のハンズフリー機能を制御してハンズフリーモードで通話できるようにしたことを特徴とするオーディオ装置に関するものである。
【００１３】
ここで、前記オーディオ機器がディスクプレーヤを備え、ディスク状記録媒体に記録されているオーディオ信号を再生してよい。また前記オーディオ機器が制御用マイクロコンピュータを備え、該制御用マイクロコンピュータによって前記オーディオ機器を前記携帯電話機のオーディオソースの再生モードとハンズフリーモードとに切換え制御してよい。また前記外部アダプタが携帯電話機制御用マイクロコンピュータを備え、該携帯電話機制御用マイクロコンピュータによって前記携帯電話機をオーディオソースの再生モードと通話モードとに切換え制御してよい。また前記近距離無線通信手段がＢｌｕｅｔｏｏｔｈ方式の無線通信であってよい。
【００１４】
また、前記携帯電話機のオーディオソースが外部から取込まれて記憶手段中に記録された音声に関するオーディオ信号であってよい。また前記オーディオ機器の所定の操作釦の操作に連動して、前記外部アダプタの携帯電話機制御用マイクロコンピュータによって前記携帯電話機が通話モードに切換えられてよい。また前記所定の操作釦がＰＬＡＹ釦であってよい。また前記オーディオ機器の別の所定の操作釦の操作に連動して、前記外部アダプタの携帯電話機制御用マイクロコンピュータによって前記携帯電話機の通話モードが遮断されてよい。また前記別の操作釦がＳＴＯＰ釦であってよい。
【００１５】
またここで、ハンズフリーモードにおいては、前記オーディオ機器のマイクによって入力された音声が前記携帯電話機によって送信され、前記携帯電話機が受信した音声信号が前記オーディオ機器のスピーカで再生されてよい。また前記オーディオ機器の所定の操作釦の操作に連動して前記携帯電話機がハンズフリーモードに切換えられ、該ハンズフリーモードにおいては、前記オーディオ機器のマイクによって入力された音声が前記携帯電話機によって送信され、前記携帯電話機が受信した音声信号が前記オーディオ機器のスピーカで再生されてよい。
またここで、前記外部アダプタが前記携帯電話機から、ＧＰＳ機能を用いて検出した位置情報を取得するとともに、該位置情報を前記オーディオ機器に送信し、該オーディオ機器の表示手段によって前記携帯電話機の位置情報を表示してよい。また前記外部アダプタが前記携帯電話機から、ＧＰＳ機能を用いて検出した位置情報を取得し、該位置情報を前記オーディオ機器に送信し、該オーディオ機器の表示手段によって前記携帯電話機の位置情報を表示するとともに、該オーディオ機器は前記携帯電話機からのオーディオソースの音声信号を再生してよい。
外部アダプタに関する主要な発明は、オーディオ機器と接続されかつ携帯電話機からの信号を前記オーディオ機器に供給する外部アダプタにおいて、
前記携帯電話機を制御する携帯電話機制御用マイクロコンピュータを有し、該携帯電話機制御用マイクロコンピュータによって前記携帯電話機をハンズフリーモードに切換えて前記オーディオ機器を介して通話できるようにしたことを特徴とする外部アダプタに関するものである。
【００１６】
ここで、前記ハンズフリーモードにおいては、前記オーディオ機器に接続されたマイクとスピーカとを介して通話が行なわれてよい。また前記携帯電話機と近距離無線通信手段を介して信号の授受が行われてよい。また前記近距離無線通信手段がＢｌｕｅｔｏｏｔｈ方式の無線通信であってよい。
【００１７】
本願発明の好ましい態様は、携帯電話機を接続／制御することができ、かつ汎用の端子を用いてオーディオ機器に接続できるＢｌｕｅｔｏｏｔｈ機能付きの外部アダプタを用いることによって、オーディオ機器として有する装置のみで、携帯電話機がどの場所にあっても、ユーザに携帯電話機のハンズフリー機能を使用できる装置を提供するようにしたものである。
【００１８】
このような態様によると、ユーザが、携帯電話機の着信時に携帯電話機のある場所まで移動する必要がなく、携帯電話機がどこにあったとしても、オーディオ装置によって視聴している位置のままで電話の操作を行なうことが可能になる。またユーザが、新たな機器を使用することなく、オーディオ機器と外部アダプタのみで携帯電話機のハンズフリー機能を利用することができる。ユーザがハンズフリー機能を利用するときには、オーディオ機器を操作するような操作感覚で操作することができる。
【発明の効果】
【００１９】
本願の主要な発明は、スピーカに対して音声信号を供給して音声を再生するオーディオ機器と、オーディオ機器に接続されている外部アダプタと、外部アダプタと近距離無線通信手段を介して接続される携帯電話機と、を有し、携帯電話機からのオーディオソースの音声信号を外部アダプタを介してオーディオ機器で再生するようになし、しかもオーディオ機器に設けられた操作手段を介して携帯電話機のハンズフリー機能を制御してハンズフリーモードで通話できるようにしたものである。
【００２０】
従ってこのようなオーディオ装置によると、携帯電話機のオーディオソースを外部アダプタを介してオーディオ機器で再生している際に、携帯電話機に着信があった場合には、オーディオ機器に設けられた操作手段を介して携帯電話機のハンズフリー機能を制御してハンズフリーモードとし、これによって携帯電話機を直接操作することなくオーディオ機器を介してハンズフリーモードで通話を行なうことが可能になる。
【００２１】
外部アダプタに関する発明は、オーディオ機器と接続されかつ携帯電話機からの信号を前記オーディオ機器に供給する外部アダプタにおいて、携帯電話機を制御する携帯電話制御用マイクロコンピュータを有し、該携帯電話制御用マイクロコンピュータによって携帯電話機をハンズフリーモードに切換えてオーディオ機器を介して通話できるようにしたものである。
【００２２】
従ってこのような外部アダプタによると、携帯電話機をオーディオ機器と接続し、これによってオーディオ機器に携帯電話機のオーディオソースを供給することが可能になる。また携帯電話機のオーディオソースの再生時に携帯電話機に着信があった場合には、このアダプタを介して携帯電話機をハンズフリーモードに切換えることにより、オーディオ機器を介して通話することが可能になる。
【発明を実施するための最良の形態】
【００２３】
以下本願発明を図示の実施の形態によって説明する。
１．システム構成
図１は本実施の形態に係るオーディオ装置のシステム構成を示すものであって、このオーディオ装置は、その中心的な機器としてオーディオ機器１０を備える。オーディオ機器１０は、例えばＣＤやＤＶＤ等の光ディスクを再生するディスクプレーヤーを中心として構成されたオーディオ機器であってよい。そしてそのフロントパネル側には複数の操作釦１１と、左右のボリュームつまみ１２とが設けられている。またこのオーディオ機器１０には、液晶ディスプレー１４から成るＴＶモニタが接続されるとともに、左右のスピーカボックス１５を備えている。スピーカボックス１５はそれぞれ複数のスピーカを内蔵し、互いに異なる音域を担当するようになっている。従って左右のスピーカボックス１５はそれぞれがスピーカシステムを構成している。
【００２４】
オーディオ機器１０にはコネクタ１８が接続されるようになっており、このコネクタ１８を介して信号ケーブル１９によって外部アダプタ２０が接続されている。そして外部アダプタ２０は、近距離無線通信方式、例えばＢｌｕｅｔｏｏｔｈ方式の無線通信によって携帯電話機２１と信号の授受を行なうようにしている。すなわちここで携帯電話機２１は、Ｂｌｕｅｔｏｏｔｈモジュールを備える携帯電話機である。携帯電話機１０の表面には複数の操作釦２２と、小型のディスプレー２３とが備えられている。
【００２５】
次にオーディオ機器１０のシステム構成について説明する。図２に示すようにオーディオ機器１０は制御用マイクロコンピュータ２７を備え、この制御用マイクロコンピュータ２７にはＤＶＤやＣＤ等の再生を行なうディスクプレーヤ２８、ラジオチューナ２９、外部音声入出力部３０等が接続される。さらにこの制御用マイクロコンピュータ２７には、音声出力用セレクタ／アンプ３１が接続されている。この音声出力用セレクタ／アンプ３１にはマイク３２が接続されるとともに、この音声出力用セレクタ／アンプがスピーカ１５に接続されるようになっている。
【００２６】
また上記制御用マイクロコンピュータ２７は外部アダプタ用端子１８から成るコネクタと接続されており、このコネクタ１８を介して携帯電話機用外部アダプタ２０の携帯電話機制御用マイクロコンピュータ３５に接続されている。この携帯電話機制御用マイクロコンピュータ３５が上述の如く、Ｂｌｕｅｔｏｏｔｈの無線通信方式によって、携帯電話機２１との間で信号の授受を行なうようにしており、携帯電話機２１はワイヤレスでオーディオ機器１０と外部アダプタ２０を介して信号の授受を行なう方式になっている。
２．全体の動作の概要
図１および図２に示す本システムは、オーディオ機器１０からの操作によって携帯電話機２１の操作が行なえるシステムである。携帯電話機２１の半導体メモリあるいはハードディスク等の記録手段に書込まれている楽曲コンテンツから成るオーディオソースを再生する場合の例にとって説明する。オーディオ機器１０に外部アダプタ２０が接続される。また外部アダプタ２０に携帯電話機２１が近距離無線で接続されている状態で、オーディオ機器１０の入力デバイスである再生釦１１を押下すると、その情報が入力データとしてこのオーディオ機器１０の制御用マイクロコンピュータ２７に入力される。このときに、オーディオ機器１０が外部アダプタファンクションになっている場合には、制御用マイクロコンピュータ２７は、外部アダプタ２０に対して、再生用制御データを送信する。
【００２７】
オーディオ機器１０からの再生用制御データを受信した外部アダプタ２０の携帯電話機制御用マイクロコンピュータ３５は、オーディオ機器１０からの再生用制御データを携帯電話機２１の再生用制御データに変換し、携帯電話機２１のＢｌｕｅｔｏｏｔｈモジュールに対して、Ｂｌｕｅｔｏｏｔｈ技術による無線通信によって送信を行なう。するとその信号を受信した携帯電話機２１はオーディオ信号の再生を開始するとともに、そのことを外部アダプタ２０の携帯電話機制御用マイクロコンピュータ３５に伝える。携帯電話機制御用マイクロコンピュータ３５は、携帯電話機２１が再生を開始したことをオーディオ機器１０の制御用マイクロコンピュータ２７に伝える。また携帯電話機２１から無線通信によって受取った音声データもオーディオ機器１０に転送される。オーディオ機器１０は、携帯電話機２１からのオーディオソースの音声信号をスピーカ１５から出力するために、音声出力用セレクタ／アンプ３１を携帯電話機接続部に切換えるとともに、音声出力用アンプで音量の調整を行なう。さらに携帯電話機２１からの再生情報を表示データとして、表示デバイス１４によって表示する。
【００２８】
またオーディオ機器１０には、マイク３２が設けられており、このマイク３２によって入力された音声は、音声出力用セレクタ／アンプ３１によって例えばディスクプレーヤ２８によって再生された音声信号に重畳され、マイクミキシングが行なわれる。すなわちこのオーディオ機器１０は、上記マイク３２によるマイクミキシングの機能を利用して、カラオケ機能を実現することができる。ここから入力された音声は、外部アダプタ用端子１８を通して外部アダプタ２０へ出力することができ、携帯電話機のハンズフリー機能にも利用される。
３．着信中の処理
携帯電話機２１に着信があった場合には、携帯電話機２１は着信中であることを制御データとしてＢｌｕｅｔｏｏｔｈの無線通信によって外部アダプタ２０に通知する。外部アダプタ２０の携帯電話機制御用マイクロコンピュータ３５は着信通知を受取ったら、オーディオ機器１０に対して、ファンクション変更要求を通知する。オーディオ機器１０は、ファンクション変更要求を受取ったら、ファンクションを、外部アダプタ用のファンクションに変更する。この一連の処理によって、携帯電話機２１の着信音をオーディオ機器１０のスピーカ１５から出力することができ、ユーザは携帯電話機２１が着信中であることを認識できる。
４．電話を受ける動作
携帯電話機２１によって着信があった場合であって、ユーザが電話を受ける場合には、外部アダプタ２０が電話を受ける機能に使用している、オーディオ機器１０の操作釦１１を押下する。例として、外部アダプタ２０が「ＰＬＡＹ」釦を、電話を受ける機能に使用している場合で説明する。上述の「３．着信中の処理」の着信中にオーディオ機器１０の「ＰＬＡＹ」釦を押下することによって、オーディオ機器１０から外部アダプタ２０に対して「ＰＬＡＹ」釦押下の通知が行なわれる。外部アダプタ２０は着信中に「ＰＬＡＹ」釦押下の通知を受取ったことで、携帯電話機２１に対して、電話を受けるための制御データを無線通信によって送信する。携帯電話機２１のＢｌｕｅｔｏｏｔｈモジュールがこれを受取ることによって、電話を受けることができる。
【００２９】
この動作は外部アダプタ２０の携帯電話機制御用マイクロコンピュータ３５の動作であって、図３に示すフローチャートで示されている。「ＰＬＡＹ」釦押下の通知を受取ると、携帯電話機制御用マイクロコンピュータ３５は携帯電話機２１が着信中かどうかの判断を行なうとともに、着信中でない場合には携帯電話機２１によって音楽コンテンツの再生の処理を行なう。これに対して着信中の場合には、携帯電話機２１に電話を受けるための制御データを送信する。そして携帯電話機から返答があった場合には、これによって通話モードに切換えられたものとして処理を終了する。携帯電話機から返答が無い場合には、携帯電話機２１に対して制御データを繰返し送信する。そして所定の回数繰返しても、なお返答が無い場合には、電話を受けることに失敗したものと判断して処理を終了する。
５．通話中の処理
上記「４．電話を受ける動作」の動作で電話を受けた後に、ユーザが通話する場合には、ユーザはとくに操作する必要はない。ユーザの音声はオーディオ機器１０のマイク３２を通して外部アダプタ２０へ伝えられる。外部アダプタ２０から携帯電話機２１へは無線通信によって伝えられる。従って携帯電話機２１はその信号を基地局を通して携帯電話網により相手方の携帯電話機に送信することになる。一方携帯電話機２１が受信した音声信号は、外部アダプタ２０からオーディオ機器１０の外部アダプタ用端子を通して入力され、音声出力用セレクタ／アンプ３１を介してスピーカ１５で出力される。
【００３０】
従って、ユーザは、オーディオ機器１０によって視聴しているままの姿勢で、とくに特別な操作をすることなくマイク３２とスピーカ１５とを用いてハンズフリー機能によって携帯電話機２１を介して通話を行なうことが可能になる。
６．電話の切断
ユーザが電話を切る場合には、外部アダプタ２０が電話を切る機能に使用しているオーディオ機器１０の釦を押下する。例として、外部アダプタ２０が「ＳＴＯＰ」釦を、電話を切る機能に使用している場合で説明する。「３．着信中の処理」や「５．通話中の処理」の動作中に、オーディオ機器１０の「ＳＴＯＰ」釦を押下することによって、オーディオ機器１０から外部アダプタ２０に対して「ＳＴＯＰ」釦押下の通知が行なわれる。外部アダプタ２０は着信中または通話中に「ＳＴＯＰ」釦押下の通知を受取ることによって、携帯電話機２１に対して、電話を切るための制御データを無線通信よって通知する。これを携帯電話機２１が受取ることによって、電話を切ることができる。
【００３１】
この動作は外部アダプタ２０の携帯電話機制御用マイクロコンピュータ３５の動作として図４に示すように達成される。外部アダプタ２０の携帯電話機制御用マイクロコンピュータ３５が「ＳＴＯＰ」釦押下の通知を受取ると、携帯電話機２１が通話中かどうかの判断を行なう。通話中でない場合には、携帯電話機の音楽コンテンツの再生をする処理を行なう。これに対して通話中の場合には、携帯電話機２１に対して電話を切るための制御データを送信する。携帯電話機２１からこれに対する返答があった場合には、通信が遮断されたものとして処理を終わる。携帯電話機２１から返答が無い場合には、携帯電話機制御用マイクロコンピュータ３５が繰返し制御データを送信し、所定の回数を超えてもなお返答が無い場合には、電話を切ることに失敗したと判断して処理を終了する。
７．携帯電話機が存在する場所の表示
さらこのシステムは、外部アダプタ２０とＢｌｕｅｔｏｏｔｈ方式による近距離無線通信手段を介して接続される携帯電話機２１の存在する場所を液晶ディスプレー１４から成るモニタによって表示できるようにしており、これによって携帯電話機２１の在りかをすぐにユーザに知らしめるようにしている。この動作は、外部アダプタ２０の携帯電話機制御用マイクロコンピュータ３５の動作として図５に示すように行なわれる。
【００３２】
携帯電話機制御用マイクロコンピュータ３５は、携帯電話機２１とＢｌｕｅｔｏｏｔｈによる無線通信の接続を行なう。接続ができた場合には、携帯電話機２１から、この携帯電話機２１のＧＰＳ機能を使って得た位置情報を取得する。そしてこの位置情報を外部アダプタ２０からオーディオ機器１０の制御用マイクロコンピュータ２７に送信し、さらに表示デバイス１４によって現在の位置情報を映像で出力する。従って、ユーザは表示デバイス１４によって携帯電話機２１がどこにあるかを知ることができる。なおＢｌｕｅｔｏｏｔｈ接続ができなかった場合には、リトライを行なうとともに、リトライの回数が所定の上限に達したかどうかの判断を行ない、上限に達した場合には処理失敗のメッセージを表示デバイス１４上で映像によって出力する。
８．携帯電話機が存在する場所の表示と音楽の再生
さらにこのシステムは、図５に示す上述の携帯電話機２１の存在する場所の表示に連続し、携帯電話機２１からのオーディオソースを再生してオーディオ機器１０に供給する動作を行なうようにしている。この動作は、外部アダプタ２０の携帯電話機制御用マイクロコンピュータ３５の動作として行なわれる。
【００３３】
携帯電話機制御用マイクロコンピュータ３５は、携帯電話機とＢｌｕｅｔｏｏｔｈによる無線通信を確立する。そしてこの後に携帯電話機２１から、ＧＰＳ情報を使って得た位置情報を取得し、その位置情報をオーディオ機器１０に送信し、その表示デバイス１４によって表示させる。さらにこの後に、携帯電話機２１に対して音声を再生するためのコマンドを携帯電話機制御用マイクロコンピュータ３５が送信し、これに応答して携帯電話機２１が音声の再生をしたかどうかの判断を行なう。音声を再生した場合にはここで処理を終了する。
【００３４】
これに対してＢｌｕｅｔｏｏｔｈによる接続ができず、所定の回数リトライしてもなおかつ無線通信接続ができなかった場合や、携帯電話機２１が再生しない場合であって、所定の回数リトライをしてもなお再生がなされなかった場合には、処理が失敗したものとして表示デバイス１４上にそのメッセージを映像によって出力し、処理を終了する。
【００３５】
以上本願発明を図示の実施の形態によって説明したが、本願発明は上記実施の形態によって限定されることなく、本願発明の技術的思想の範囲内において各種の変更が可能である。例えば上記実施の形態における外部アダプタ２０と携帯電話機２１との間の近距離無線通信手段としては、必ずしもＢｌｕｅｔｏｏｔｈ方式である必要はなく、その他の無線通信手段を利用することができる。
【産業上の利用可能性】
【００３６】
本願発明は、携帯式のミュージックプレーヤの機能を兼用する携帯電話機にストレージされたオーディオソースを再生することが可能なオーディオ装置に適用することができる。
【図面の簡単な説明】
【００３７】
【図１】各種機器の接続を示すブロック図である。
【図２】外部アダプタとオーディオ機器との接続を示す回路図である。
【図３】電話を受ける動作を示すフローチャートである。
【図４】電話を切る動作を示すフローチャートである。
【図５】携帯電話機の位置を表示する動作を示すフローチャートである。
【図６】携帯電話機のある位置の表示と音声再生の開始動作とを示すフローチャートである。
【符号の説明】
【００３８】
１０…オーディオ機器、１１…操作釦、１２…ボリュームつまみ、１４…液晶ディスプレー、１５…スピーカボックス、１８…コネクタ、１９…信号ケーブル、２０…外部アダプタ、２１…携帯電話機、２２…操作釦、２３…ディスプレー、２７…制御用マイクロコンピュータ、２８…ディスクプレーヤ、２９…ラジオチューナ、３０…外部音声入出力部、３１…音声出力用セレクタ／アンプ、３２…マイク、３５…携帯電話機制御用マイクロコンピュータ
【図１】
2009124271.tif 000003
【図２】
2009124271.tif 000004
【図３】
2009124271.tif 000005
【図４】
2009124271.tif 000006
【図５】
2009124271.tif 000007
【図６】
2009124271.tif 000008